(57)【要約】      （修正有）【課題】蓄電素子を含む主要部と対向部材との間に水滴の帯溜を抑制し、絶縁性能の低下を抑制できる蓄電装置の提供。【解決手段】一つ以上の蓄電素子２を含む主要部１と、主要部に対して間隔をあけて配置する導電性の対向部材４１と、主要部１と対向部材４１との間に配置する絶縁部材５とを備え、対向部材４１は、少なくとも一部が主要部１と対向する対向部を有し、前記対向部は、主要部１と重なる位置にある端面で、設置状態で上側を向く端面を有し、絶縁部材５は、少なくとも前記対向部の主要部１側に向いた面を覆う被覆部と、該被覆部から主要部１に向けて延出し、主要部１と前記被覆部との間の隙間を閉じるシール部とを備え、前記被覆部は、前記端面と直交する方向で前記対向部の前記端面と一致した位置又は前記端面よりも外側の位置にある端部を有し、前記シール部は、前記被覆部の前記端部から主要部１に向けて延出する蓄電装置。【選択図】図３
2019053827.tif 000002
【特許請求の範囲】
【請求項１】
少なくとも一つの蓄電素子を含む主要部と、
前記主要部に対して間隔をあけて配置される導電性の対向部材と、
前記主要部と前記対向部材との間に配置される絶縁部材とを備え、
前記対向部材は、少なくとも一部が前記主要部と重なる対向部を有し、
前記対向部は、前記主要部と重なる位置にある端面であって、設置状態で上側を向く端面を有し、
前記絶縁部材は、少なくとも前記対向部の前記主要部側に向いた面を覆う被覆部と、該被覆部から前記主要部に向けて延出し、前記主要部と前記被覆部との間の隙間を閉じるシール部とを備え、
前記被覆部は、前記端面と直交する方向において前記対向部の前記端面と一致した位置又は前記端面よりも外側の位置にある端部を有し、
前記シール部は、前記被覆部の前記端部から前記主要部に向けて延出する、
蓄電装置。
【請求項２】
前記絶縁部材は、前記被覆部から前記シール部とは反対側に延出し且つ前記対向部の前記端面に対向するリブを備え、
前記リブは、前記被覆部の前記端部又は前記端面と直交する方向において前記被覆部における前記端部と前記対向部の前記端面との間の位置から延出する、
請求項１に記載の蓄電装置。
【請求項３】
前記リブは、前記被覆部に接続される基端と、該基端の反対側の先端とを有し、
前記リブの先端側が前記対向部の外側に延在する、
請求項２に記載の蓄電装置。
【請求項４】
前記リブは、前記端面と直交する方向において、前記対向部の前記端面と対向する第一面と、該第一面の反対側の第二面とを有し、
前記第二面は、前記基端側から前記先端側に向け先下りに傾斜する、
請求項３に記載の蓄電装置。
【発明の詳細な説明】
【技術分野】
【０００１】
本発明は、蓄電素子と、蓄電素子に対して間隔をあけて配置される対向部材と、蓄電素子と対向部材との配置された絶縁部材とを備えた蓄電装置に関する。
【背景技術】
【０００２】
従来から、蓄電素子と該蓄電素子を保持する保持部材とを備えた蓄電装置が提供されている（例えば、特許文献１参照）。
【０００３】
この種の蓄電装置において、保持部材は、導電材料により成形される。これに伴い、蓄電装置は、蓄電素子と保持部材との間に配置されるインシュレータを備える。
【０００４】
保持部材は、第一方向で間隔をあけて配置される一対の終端部材と、一対の終端部材を接続するフレームとを備える。
【０００５】
蓄電素子は、一対の終端部材の間に配置される。これに伴い、フレームは、蓄電素子に対して第一方向と直交する第二方向において蓄電素子と対向する。フレームは、それぞれが第一方向の延び且つ第一方向及び第二方向と直交する第三方向に間隔をあけて配置される一対の接続部を有する。
【０００６】
インシュレータは、接続部に当接する絶縁部と、絶縁部の第三方向における途中位置から蓄電素子側に向けて延び、絶縁部と蓄電素子との間にできる隙間を閉じるシール部とを有する。これにより、インシュレータは、当該インシュレータ自身の絶縁性能に加え、蓄電素子とフレームとの沿面距離を確保することにより、蓄電素子とフレームとの絶縁を図る。
【０００７】
ところで、上記構成の蓄電装置では、結露等によって蓄電素子に付着した水滴がシール部上に溜まり、該水滴が絶縁性能を低下させる虞がある。
【０００８】
具体的に説明すると、上記構成の蓄電装置において、インシュレータのシール部が第三方向における絶縁部の途中位置から延出しているため、蓄電装置が第三方向を上下方向にして設置された場合、シール部が絶縁部の上端よりも下方側に配置されることになる。そのため、結露等の影響によって蓄電素子に付着した水滴が絶縁部と蓄電素子との間にあるシール部上に溜まり、その水滴によって絶縁性能が低下する虞がある。
【先行技術文献】
【特許文献】
【０００９】
【特許文献１】特開２０１６−１１１００９号公報
【発明の概要】
【発明が解決しようとする課題】
【００１０】
そこで、本実施形態は、蓄電素子を含む主要部と対向部材との間に水滴が溜まることを抑制し、絶縁性能の低下を抑制することのできる蓄電装置を提供する。
【課題を解決するための手段】
【００１１】
本実施形態の蓄電装置は、
少なくとも一つの蓄電素子を含む主要部と、
前記主要部に対して間隔をあけて配置される導電性の対向部材と、
前記主要部と前記対向部材との間に配置される絶縁部材とを備え、
前記対向部材は、少なくとも一部が前記主要部と重なる対向部を有し、
前記対向部は、前記主要部と重なる位置にある端面であって、設置状態で上側を向く端面を有し、
前記絶縁部材は、少なくとも前記対向部の前記主要部側に向いた面を覆う被覆部と、該被覆部から前記主要部に向けて延出し、前記主要部と前記被覆部との間の隙間を閉じるシール部とを備え、
前記被覆部は、前記端面と直交する方向において前記対向部の前記端面と一致した位置又は前記端面よりも外側の位置にある端部を有し、
前記シール部は、前記被覆部の前記端部から前記主要部に向けて延出する。
【００１２】
上記構成によれば、被覆部と対向部とが並ぶ方向と直交する方向において、被覆部の端部とシール部とが一致するため、蓄電素子を含む主要部と被覆部との間に水滴の溜まる空間（所謂、ポケット）が形成されない。また、対向部を覆う被覆部の端部であって、シール部が延出する端部が、該被覆部と対向部とが並ぶ方向と直交する方向において対向部の端面と一致した位置又は端面よりも外側の位置にあるため、対向部と被覆部との間にも水滴の溜まる空間が形成されない。
【００１３】
従って、蓄電装置を設置した状態において、蓄電素子を含む主要部に付着した水滴がシール部に到達すると、水滴は、シール部、被覆部の端部を通って外側に排出される。よって、上記構成の蓄電装置は、蓄電素子を含む主要部と対向部材との間に水滴が溜まることを抑制し、絶縁性能が低下することを抑制できる。
【００１４】
本発明の一態様として、
前記絶縁部材は、前記被覆部から前記シール部とは反対側に延出し且つ前記対向部の前記端面に対向するリブを備え、
前記リブは、前記被覆部の前記端部又は前記端面と直交する方向において前記被覆部における前記端部と前記対向部の前記端面との間の位置から延出する、ようにしてもよい。
【００１５】
上記構成によれば、リブが対向部の端面を覆うため、シール部に到達した水滴が外側に流れたときに、リブが対向部に対する水滴の付着を阻止する。また、対向部の端面に対向するリブが、被覆部の端部又は被覆部と対向部とが並ぶ方向と直交する方向において被覆部における端部と対向部の端面との間の位置から延出するため、リブが設けられても、水滴の流れが阻害されることもない。
【００１６】
この場合、
前記リブは、前記被覆部に接続される基端と、該基端の反対側の先端とを有し、
前記リブの先端側が前記対向部の外側に延在する、ようにしてもよい。
【００１７】
上記構成によれば、リブが水滴を対向部の外側にまで誘導する。従って、対向部に対する水滴の付着を抑えることができる。
【００１８】
前記リブは、前記端面と直交する方向において、前記対向部の前記端面と対向する第一面と、該第一面の反対側の第二面とを有し、
前記第二面は、前記基端側から前記先端側に向け先下りに傾斜する、ようにしてもよい。
【００１９】
上記構成によれば、水滴がリブの第二面の傾斜によってリブの先端に向けて流れるため、水滴が対向部の外側に確実に排出される。
【発明の効果】
【００２０】
以上より、本実施形態によれば、蓄電素子を含む主要部と対向部材との間に水滴が溜まることを抑制し、絶縁性能の低下を抑制することができる。
【図面の簡単な説明】
【００２１】
【図１】図１は、本実施形態に係る蓄電装置の斜視図である。
【図２】図２は、前記蓄電装置の一部を省略した状態の分解斜視図である。
【図３】図３は、図１のＩＩＩ―ＩＩＩ断面の断面図である。
【図４】図４は、図３のＩＶ−ＩＶ断面の断面図である。
【図５】図５は、前記蓄電装置が備える蓄電素子の斜視図である。
【図６】図６は、前記蓄電素子の分解斜視図である。
【図７】図７は、前記蓄電装置が備える第一隣接部材の斜視図である。
【図８】図８は、前記蓄電装置が備える第二隣接部材の斜視図である。
【図９】図９は、前記蓄電装置が備える第三隣接部材の斜視図である。
【図１０】図１０は、前記蓄電装置が備える一対の連結部材の斜視図である。
【図１１】図１１は、前記蓄電装置が備える一対のインシュレータの斜視図である。
【図１２】図１２は、前記蓄電装置が備えるインシュレータの部分拡大断面図である。
【図１３】図１３は、前記蓄電装置が備えるインシュレータの部分拡大断面図である。
【図１４】図１４は、前記蓄電装置が備えるインシュレータの部分拡大断面図である。
【図１５】図１５は、図４のＸＶ部の拡大図である。
【図１６】図１６は、図３のＸＶＩ部の拡大図である。
【図１７】図１７は、図３のＸＶＩＩ部の拡大図である。
【発明を実施するための形態】
【００２２】
以下、本発明の一実施形態について、図面を参照しつつ説明する。尚、本実施形態の各構成部材（各構成要素）の名称は、本実施形態におけるものであり、背景技術における各構成部材（各構成要素）の名称と異なる場合がある。
【００２３】
図１乃至図４に示す如く、蓄電装置ＰＥは、蓄電素子２を含む主要部１と、主要部１に対して間隔をあけて配置される対向部材４１と、主要部１と対向部材４１との間に配置される絶縁部材５とを備える。なお、図３及び図４は、蓄電装置ＰＥの断面図ではあるが、便宜上、蓄電素子２の内部を省略している。
【００２４】
本実施形態において、主要部１は、蓄電素子２と、第一方向（本実施形態ではＸ軸方向という）において蓄電素子２と隣接する隣接部材３とを含む。より具体的には、主要部１は、図１乃至図３に示す如く、Ｘ軸方向に並ぶ複数の蓄電素子２と、複数の蓄電素子２のそれぞれに対応して配置される複数の隣接部材３とを備える。
【００２５】
これに伴い、本実施形態に係る蓄電装置ＰＥは、主要部１を構成する蓄電素子２及び隣接部材３を保持する保持部材４であって、後述する連結部材（対向部材）４１を含む保持部材４を備える。また、蓄電装置ＰＥは、図１及び図２に示す如く、蓄電素子２同士を電気的に接続するバスバ６を備える。
【００２６】
蓄電素子２には、一次電池、二次電池、キャパシタ等がある。本実施形態の蓄電素子２は、充放電可能な非水電解質二次電池である。より詳しくは、本実施形態の蓄電素子２は、リチウムイオンの移動に伴って生じる電子移動を利用したリチウムイオン二次電池である。
【００２７】
蓄電素子２は、図５に示す如く、外部端子２０を含む。具体的には、蓄電素子２は、図６に示す如く、電極体２２と、電極体２２を電解液と共に収容するケース２１と、少なくとも一部がケース２１の外側に露出する外部端子２０と、電極体２２と外部端子２０とを接続する集電体２３と、電極体２２とケース２１との間に配置されるケース内絶縁体２４とを備える。
【００２８】
ケース２１は、開口を有するケース本体２１０と、外部端子２０が配置され、ケース本体２１０の開口を塞ぐ（閉じる）蓋板２１１とを有する。本実施形態のケース本体２１０は、有底角筒状である。蓋板２１１には、外部端子２０の他、ケース２１内の圧力が規定値を超えたときに開放する安全弁２５が設けられている。ケース２１は、直方体形状（六面形状）である。これに伴い、ケース２１の外面は、図５に示す如く、外部端子２０の配置される第一端面２１Ａ（蓋板２１１の外面）と、Ｘ軸方向及びＹ軸方向のそれぞれと直交する第三方向（本実施形態においてはＺ軸方向という）において第一端面２１Ａに対して反対側を向く第二端面２１Ｂと、Ｘ軸方向において相反する方向に向く一対の第三端面２１Ｃと、Ｙ軸方向において相反する方向に向く一対の第四端面２１Ｄとを含む。
【００２９】
本実施形態において、ケース２１は、Ｘ軸方向に扁平である。これに伴い、一対の第三端面２１Ｃのそれぞれは、第一端面２１Ａ、第二端面２１Ｂ、及び一対の第四端面２１Ｄのそれぞれよりも広い幅広な面である。本実施形態において、複数の蓄電素子２は、第三端面２１Ｃ（幅広な面）をＸ軸方向に向けた状態で、Ｘ軸方向に並ぶ（図２参照）。
【００３０】
図６に示す如く、電極体２２では、正極と負極とがセパレータを介して交互に積層されている。本実施形態の電極体２２は、長尺な正極及び負極がセパレータを介して交互に積層された状態で巻回されている、いわゆる捲回型の電極体である。電極体２２は、電解液（図示しない）とともにケース２１に収容される。これにより、電極体２２において、リチウムイオンが正極と負極との間を移動することにより、蓄電素子２が充放電する。
【００３１】
図１乃至図３に示す如く、隣接部材３は、Ｘ軸方向に並ぶ蓄電素子２の間、又は蓄電素子２と該蓄電素子２に対してＸ軸方向に並ぶ部材（本実施形態の例では、保持部材４の一部）との間に配置される。本実施形態の蓄電装置ＰＥは、複数種類の隣接部材３を含む。具体的には、蓄電装置ＰＥは、隣接部材３として、複数の蓄電素子２の並ぶ中央位置において隣り合う蓄電素子２の間に配置される第一隣接部材３１と、中央位置以外の位置で隣り合う蓄電素子２の間に配置される第二隣接部材３２と、Ｘ軸方向において最も端にある蓄電素子２の外側に配置される第三隣接部材３３とを含む。
【００３２】
第一隣接部材３１は、絶縁性を有し、隣り合う蓄電素子２の間に配置されることで蓄電素子２間の間隔（沿面距離等）を確保する。具体的に、第一隣接部材３１は、図７に示す如く、蓄電素子２（ケース本体２１０）と隣接する第一本体部３１０と、第一本体部３１０に対する蓄電素子２の移動を規制する第一規制部３１１とを有する。
【００３３】
第一本体部３１０は、Ｙ軸方向及びＺ軸方向の双方に広がり、Ｘ軸方向に厚みを有する。これに伴い、第一隣接部材３１において、第一本体部３１０は、Ｘ軸方向において蓄電素子２の第三端面２１Ｃと対向する。本実施形態の第一本体部３１０は、隣接する蓄電素子２との間に温度調整用の流体（本実施形態の例では空気）が流通可能な流路を形成する。また、第一本体部３１０は、Ｙ軸方向において、インシュレータ５とも対向する。
【００３４】
より具体的に説明する。第一隣接部材３１において、第一本体部３１０は、Ｘ軸方向において外側を向く一対の第一面３１０Ａと、Ｚ軸方向において外側を向く一対の第二面３１０Ｂと、Ｙ軸方向において外側を向く一対の第三面３１０Ｃとを有する。
【００３５】
第一本体部３１０の一対の第一面３１０ＡのそれぞれのＸ軸方向から見た形状は、同方向から見た蓄電素子２のケース２１の形状に即している。本実施形態において、蓄電素子２のケース２１（第三端面２１Ｃ）のＸ軸方向から見た形状は、四角形状である。これに伴い、第一本体部３１０の第一面３１０Ａも四角形状である。従って、第一本体部３１０は、Ｘ軸方向から見て四つの角部を有する。第一本体部３１０の一対の第一面３１０Ａのそれぞれには、流体を流通させる流路を形成するための複数の溝３１２がＹ軸方向に延びて形成されている。
【００３６】
第一隣接部材３１（第一本体部３１０）は、保持部材４に連結される。本実施形態において、第一隣接部材３１は、保持部材４（後述する連結部材４１）に対してネジ止めによって連結（固定）される（図１乃至図３参照）。
【００３７】
第一規制部３１１は、第一本体部３１０からＸ軸方向に延び、第一本体部３１０と隣接する蓄電素子２（詳しくはケース２１）とＹ軸方向及びＺ軸方向のそれぞれの外側から当接することによって該蓄電素子２の第一本体部３１０に対するＹ軸方向及びＺ軸方向への相対移動を規制する。
【００３８】
具体的には、第一規制部３１１は、Ｘ軸方向から見た第一本体部３１０の四つの角部のそれぞれに対応して設けられ、第一本体部３１０の対応する角部に沿って形成される。
【００３９】
第一規制部３１１は、Ｙ軸方向に厚みを有する第一片３１１ａであって、第一本体部３１０のＹ軸方向の端部（Ｚ軸方向に延びる端部）からＸ軸方向に延出した第一片３１１ａと、Ｚ軸方向に厚みを有する第二片３１１ｂであって、第一本体部３１０のＺ軸方向の端部（Ｙ軸方向に延びる端部）からＸ軸方向に延びる第二片３１１ｂとを含む。第一片３１１ａは、Ｚ軸方向に第一端と第二端とを有し、第二片３１１ｂは、Ｙ軸方向に一端を有する。第一片３１１ａの第一端及び第二片３１１ｂの一端は、第一本体部３１０の角と一致し、互いに接続される。
【００４０】
本実施形態において、Ｘ軸方向における第一本体部３１０の両側に蓄電素子２が配置される。これに伴い、第一隣接部材３１において、第一規制部３１１は、Ｘ軸方向における第一本体部３１０の両側に設けられる。
【００４１】
本実施形態において、第一本体部３１０の第三面３１０Ｃは、第一規制部３１１の第一片３１１ａの外面と連続している。本実施形態において、第一本体部３１０の第三面３１０Ｃは、Ｘ軸方向の端部に向かって先下りに傾斜したテーパ面（採番しない）を含む。すなわち、第一本体部３１０の第三面３１０Ｃは、Ｘ軸方向の中央側から両端に向けて先下りした一対のテーパ面を含む。また、第一規制部３１１の第一片３１１ａの外面は、Ｚ軸方向において第二片３１１ｂ（第一端）側から第二端に向けて先下りしたテーパ面を含む。第一本体部３１０の第三面３１０Ｃのテーパ面及び第一規制部３１１の第一片３１１ａの外面のテーパ面は連続している。
【００４２】
第二隣接部材３２は、絶縁性を有し、隣り合う蓄電素子２の間に配置されることで蓄電素子２間の間隔（沿面距離等）を確保する。具体的に、第二隣接部材３２は、図８に示す如く、蓄電素子２（ケース本体２１０）と隣接する第二本体部３２０と、第二本体部３２０に対する蓄電素子２の移動を規制する第二規制部３２１とを有する。
【００４３】
第二本体部３２０は、Ｙ軸方向及びＺ軸方向の双方に広がる。これに伴い、第二隣接部材３２において、第二本体部３２０は、蓄電素子２の第三端面２１Ｃと対向する。第二本体部３２０のＸ軸方向から見た形状は、同方向から見た蓄電素子２のケース２１の形状に即している。本実施形態において、蓄電素子２のケース２１（第三端面２１Ｃ）のＸ軸方向から見た形状は、四角形状である。これに伴い、Ｘ軸方向から見て第二本体部３２０も四角形状である。従って、第二本体部３２０は、Ｘ軸方向から見て四つの角部を有する。
【００４４】
本実施形態の第二本体部３２０は、隣接する蓄電素子２との間に温度調整用の流体（本実施形態の例では空気）が流通可能な流路を形成する。本実施形態において、第二本体部３２０は、薄肉であり、Ｙ軸方向から見て矩形波型形状に形成される。これにより、Ｘ軸方向における第二本体部３２０の両面に対し、流体の流路を形成する複数の溝部３２２がＹ軸方向に延びて形成される。
【００４５】
第二規制部３２１は、第二本体部３２０からＸ軸方向に延び、第二本体部３２０と隣接する蓄電素子２（詳しくはケース２１）とＹ軸方向及びＺ軸方向のそれぞれの外側から当接することによって該蓄電素子２の第二本体部３２０に対するＹ軸方向及びＺ軸方向への相対移動を規制する。
【００４６】
具体的には、第二規制部３２１は、Ｘ軸方向から見た第二本体部３２０の四つの角部のそれぞれに対応して設けられ、第二本体部３２０の対応する角部に沿って形成される。
【００４７】
第二規制部３２１は、Ｙ軸方向に厚みを有する第一片３２１ａであって、第二本体部３２０のＹ軸方向の端部（Ｚ軸方向に延びる端部）からＸ軸方向に延出した第一片３２１ａと、Ｚ軸方向に厚みを有する第二片３２１ｂであって、第二本体部３２０のＺ軸方向の端部（Ｙ軸方向の延びる端部）からＸ軸方向に延びる第二片３２１ｂとを含む。第一片３２１ａは、Ｚ軸方向に第一端と第二端とを有し、第二片３２１ｂは、Ｙ軸方向に一端を有する。第一片３２１ａの第一端及び第二片３２１ｂの一端は、第二本体部３２０の角と一致し、互いに接続される。
【００４８】
本実施形態において、Ｘ軸方向における第二本体部３２０の両側に蓄電素子２が配置される。これに伴い、第二隣接部材３２において、第二規制部３２１は、Ｘ軸方向における第二本体部３２０の両側に設けられる。
【００４９】
本実施形態において、蓄電素子２及び第二隣接部材３２は、Ｘ軸方向において交互に配置される（図１乃至図３参照）。これに伴い、第二隣接部材３２の第二規制部３２１は、蓄電素子２を挟んで隣り合う第二隣接部材３２の第二規制部３２１とＸ軸方向において連続する。すなわち、蓄電素子２を挟んで隣り合う第二隣接部材３２の対応する第二規制部３２１の第一片３２１ａの外面が連続面になり、蓄電素子２を挟んで隣り合う第二隣接部材３２の対応する第二規制部３２１の第二片３２１ｂの外面が連続面になる。
【００５０】
本実施形態において、隣接部材３が第一隣接部材３１を含むため、第二隣接部材３２には、第一隣接部材３１と隣り合う蓄電素子２に対して隣り合うものがある。この第二隣接部材３２の第二規制部３２１（第二本体部３２０の両側にある第二規制部３２１のうちの一方の第二規制部３２１）は、第一隣接部材３１の第一規制部３１１とＸ軸方向において連続する。
【００５１】
すなわち、蓄電素子２を挟んで隣り合う第一隣接部材３１の第一規制部３１１の第一片３１１ａの外面と、これに対応する第二隣接部材３２の第二規制部３２１の第一片３２１ａの外面とが連続面となり、蓄電素子２を挟んで隣り合う第一隣接部材３１の第一規制部３１１の第二片３１１ｂの外面と、これに対応する第二隣接部材３２の第二規制部３２１の第二片３２１ｂの外面とが連続面となる。本実施形態において、第二規制部３２１の第一片３２１ａの外面（連続面になる外面）は、Ｚ軸方向において第二片３２１ｂ側から先端に向けて先下りに傾斜したテーパ面を含む。
【００５２】
第三隣接部材３３は、絶縁性を有し、Ｘ軸方向において蓄電素子２と保持部材４（後述する終端部材４０）との間に配置されることで蓄電素子２と保持部材４（終端部材４０）との間隔（沿面距離等）を確保する。具体的に、第三隣接部材３３は、図９に示す如く、蓄電素子２（ケース本体２１０）と隣接する第三本体部３３０と、第三本体部３３０に対する蓄電素子２の移動を規制する第三規制部３３１とを有する。
【００５３】
第三本体部３３０は、Ｙ軸方向及びＺ軸方向の双方に広がり、Ｘ軸方向に厚みを有する。これに伴い、第三隣接部材３３において、第三本体部３３０は、Ｘ軸方向において蓄電素子２の第三端面２１Ｃと対向する。第三本体部３３０のＸ軸方向から見た形状は、同方向から見た蓄電素子２のケース２１の形状に即している。本実施形態において、蓄電素子２のケース２１（第三端面２１Ｃ）のＸ軸方向から見た形状は、四角形状である。これに伴い、Ｘ軸方向から見て第三本体部３３０も四角形状である。従って、第三本体部３３０は、Ｘ軸方向から見て四つの角部を有する。
【００５４】
本実施形態の第三本体部３３０は、隣接する蓄電素子２との間に温度調整用の流体（本実施形態の例では空気）が流通可能な流路を形成する。本実施形態において、第三本体部３３０の蓄電素子２側に向いた面には、流体の流路を形成する複数の溝部３３２がＹ軸方向に延びて形成される。
【００５５】
第三規制部３３１は、第三本体部３３０からＸ軸方向に延び、第三本体部３３０と隣接する蓄電素子２（詳しくはケース２１）とＹ軸方向及びＺ軸方向のそれぞれの外側から当接することによって該蓄電素子２の第三本体部３３０に対するＹ軸方向及びＺ軸方向への相対移動を規制する。
【００５６】
具体的には、第三規制部３３１は、Ｘ軸方向から見た第三本体部３３０の四つの角部のそれぞれに対応して設けられ、第三本体部３３０の対応する角部に沿って形成される。
【００５７】
第三規制部３３１は、Ｙ軸方向に厚みを有する第一片３３１ａであって、第三本体部３３０のＹ軸方向の端部（Ｚ軸方向に延びる端部）からＸ軸方向に延出した第一片３３１ａと、Ｚ軸方向に厚みを有する第二片３３１ｂであって、第三本体部３３０のＺ軸方向の端部（Ｙ軸方向に延びるの端部）からＸ軸方向に延びる第二片３３１ｂとを含む。第一片３３１ａは、Ｚ軸方向に第一端と第二端とを有し、第二片３３１ｂは、Ｙ軸方向に一端を有する。第一片３３１ａの第一端及び第二片３３１ｂの一端は、第三本体部３３０の角と一致し、互いに接続される。
【００５８】
本実施形態において、Ｘ軸方向における第三本体部３３０の一方側に蓄電素子２が配置される。これに伴い、第三隣接部材３３において、第三規制部３３１は、Ｘ軸方向における第三本体部３３０の片側に設けられる。第三隣接部材３３の第三規制部３３１は、蓄電素子２を挟んで隣り合う第二隣接部材３２の第二規制部３２１とＸ軸方向で連続する。
【００５９】
すなわち、蓄電素子２を挟んで隣り合う第三隣接部材３３の第三規制部３３１の第一片３３１ａの外面と、これに対応する第二隣接部材３２の第二規制部３２１の第一片３２１ａの外面とが連続面になり、蓄電素子２を挟んで隣り合う第三隣接部材３３の第三規制部３３１の第二片３３１ｂと、これに対応する第二隣接部材３２の第二規制部３２１の第二片３２１ｂの外面とが連続面になる。
【００６０】
このように、第一隣接部材３１の第一規制部３１１、第二隣接部材３２の第二規制部３２１、及び第三隣接部材３３の第三規制部３３１が連続することで、複数の蓄電素子２のケース２１の角部（第一端面２１Ａと第三端面２１Ｃとの接続部分、第二端面２１Ｂと第三端面２１Ｃとの接続部分）が覆われる。
【００６１】
本実施形態において、第三本体部３３０のＹ軸方向において外側を向く両方の外面は、第三規制部３３１の第一片３３１ａの外面と連続している。本実施形態において、Ｙ軸方向を向く第三本体部３３０の外面は、Ｘ軸方向において主要部１（蓄電素子２）側に向かうにつれて先下りに傾斜したテーパ面を含む。また、第三規制部３３１の第一片３３１ａの外面（連続面になる外面）は、Ｚ軸方向において第二片３３１ｂ側から先端に向けて先下りに傾斜したテーパ面を含む。第三本体部３３０の外面のテーパ面と第三規制部３３１の第一片３３１ａの外面のテーパ面は連続している。第三本体部３３０の外面のテーパ面及び第三規制部３３１の第一片３３１ａの外面のテーパ面は連続している。
【００６２】
図１乃至図３に示す如く、保持部材４は、複数の蓄電素子２と複数の隣接部材３との周囲を囲むことで、複数の蓄電素子２及び複数の隣接部材３をひとまとめに保持する。この保持部材４は、金属等の導電性を有する部材によって構成される。具体的に、保持部材４は、Ｘ軸方向において蓄電素子２の両側に配置される一対の終端部材４０と、主要部１（蓄電素子２及び隣接部材３）に対して間隔をあけて配置される連結部材（対向部材）４１であって、一対の終端部材４０を連結する連結部材４１とを含む。
【００６３】
一対の終端部材４０のそれぞれは、Ｘ軸方向の端に配置された蓄電素子２との間に第三隣接部材３３を挟み込むように配置される。終端部材４０は、Ｙ軸方向及びＺ軸方向の双方に広がる。具体的に、終端部材４０は、図２に示す如く、蓄電素子２と対応する輪郭（本実施形態では矩形状の輪郭）を有する本体４００と、本体４００から第三隣接部材３３の第三本体部３３０に向けて突出し且つ該第三隣接部材３３に当接して該第三隣接部材３３を押圧する圧接部４０１とを有する。
【００６４】
一対の連結部材４１は、Ｙ軸方向において主要部１の両側に配置される。一対の連結部材４１のそれぞれは、少なくとも一部が主要部１と重なる対向部４１０ａ，４１０ｂ，４１０ｄを有する。具体的には、一対の連結部材４１のそれぞれは、図２及び図１０に示す如く、Ｙ軸方向において主要部１と重なる本体部４１０と、本体部４１０から主要部１に含まれる蓄電素子２の第一端面２１Ａに沿って延びる第一延設部４１１と、本体部４１０から主要部１に含まれる蓄電素子２の第二端面２１Ｂに沿って延びる第二延設部４１２と、本体部４１０から終端部材４０に沿って延びる終端延設部４１３とを有する。
【００６５】
本体部４１０は、主要部１に対してＹ軸方向に間隔をあけて配置される板状の部位である。本実施形態の本体部４１０は、図１０に示す如く、Ｘ軸方向及びＺ軸方向に広がる板状で、且つＸ軸方向に長尺な矩形状の輪郭を有する。本体部４１０は、それぞれがＸ軸方向に延び且つＺ軸方向に間隔をあけて配置される一対の梁部４１０ａと、Ｚ軸方向に延び且つ一対の梁部４１０ａの端部同士を接続する一対の第一接続部４１０ｂと、Ｚ軸方向に延び且つＸ軸方向の途中位置（本実施形態の例では、Ｘ軸方向に並ぶ複数の蓄電素子２のうちの所定の蓄電素子２とＹ軸方向から見て重なる位置）において一対の梁部４１０ａ同士を接続する第二接続部４１０ｃと、Ｚ軸方向に延び且つＸ軸方向の途中位置（本実施形態の例では、Ｘ軸方向の途中位置に配置された第一隣接部材３１とＹ軸方向から見て重なる位置）において一対の梁部４１０ａ同士を接続する第三接続部４１０ｄとを有する。
【００６６】
一対の梁部４１０ａのうちの一方の梁部４１０ａは、主要部１に含まれる複数の蓄電素子２の第四端面２１Ｄにおける第一端面２１Ａ側の端部に沿ってＸ軸方向に延びる。これに対し、一対の梁部４１０ａのうちの他方の梁部４１０ａは、主要部１に含まれる複数の蓄電素子２の第四端面２１Ｄにおける第二端面２１Ｂ側の端部に沿ってＸ軸方向に延びる。これにより、一対の梁部４１０ａのそれぞれは、Ｙ軸方向から見て主要部１（複数の蓄電素子２及び隣接部材３）と重なる。一対の梁部４１０ａのそれぞれは、帯板状である。これに伴い、一対の梁部４１０ａは、Ｚ軸方向を向く端面ＥＳａであって、互いに対向する端面ＥＳａを有する。梁部４１０ａの端面ＥＳａは、Ｙ軸方向において、主要部１と重なる位置に配置される。
【００６７】
第一接続部４１０ｂは、Ｚ軸方向に延び、一対の梁部４１０ａの端部を接続する。第一接続部４１０ｂは、板状であり、Ｙ軸方向に厚みを有する。これに伴い、第一接続部４１０ｂは、Ｘ軸方向の一端にＸ軸方向を向く端面ＥＳｂを有する。すなわち、一対の第一接続部４１０ｂのそれぞれは、相手方の第一接続部４１０ｂ側に向いた端面ＥＳｂを有する。第一接続部４１０ｂの端面ＥＳｂは、Ｙ軸方向において、主要部１（第三隣接部材３３）と重なる位置に配置される。
【００６８】
第二接続部４１０ｃは、Ｘ軸方向に間隔を空けて複数配置される。複数の第二接続部４１０ｃのそれぞれは、Ｚ軸方向に延び、一対の梁部４１０ａを接続する。複数の第二接続部４１０ｃのそれぞれは、板状であり、Ｙ軸方向に厚みを有する。これに伴い、複数の第二接続部４１０ｃのそれぞれは、Ｘ軸方向の両端にＸ軸方向において相反する方向を向く端面ＥＳｃを有する。すなわち、複数の第二接続部４１０ｃのそれぞれは、Ｘ軸方向で隣り合う第二接続部４１０ｃ側に向いた端面ＥＳｃを有する。第二接続部４１０ｃの端面ＥＳｃは、Ｙ軸方向において、主要部１（蓄電素子２）と重なる位置に配置される。
【００６９】
第三接続部４１０ｄは、Ｚ軸方向に延び、Ｘ軸方向における一対の梁部４１０ａの中央部同士を接続する。第三接続部４１０ｄは、板状であり、Ｙ軸方向に厚みを有する。これに伴い、第三接続部４１０ｄは、Ｘ軸方向の両端にＸ軸方向において相反する方向を向く端面ＥＳｄを有する。すなわち、第三接続部４１０ｄは、Ｘ軸方向で隣り合う第二接続部４１０ｃ側に向いた端面ＥＳｄを有する。第三接続部４１０ｄの端面ＥＳｄは、Ｙ軸方向において、主要部１（第一隣接部材３１）と重なる位置に配置される。
【００７０】
本実施形態において、第一接続部４１０ｂの端面ＥＳｂ、第二接続部４１０ｃの端面ＥＳｃ、及び第三接続部４１０ｄの端面ＥＳｄのそれぞれは、一対の梁部４１０ａのそれぞれの端面ＥＳａに対して連続している。本実施形態において、第一接続部４１０ｂの端面ＥＳｂ、第二接続部４１０ｃの端面ＥＳｃ、及び第三接続部４１０ｄの端面ＥＳｄのそれぞれと梁部４１０ａの端面ＥＳａとの接続部分は円弧面になっている。
【００７１】
第一接続部４１０ｂは、主要部１に含まれる第三隣接部材３３にＹ軸方向で重なるように配置される。第二接続部４１０ｃは、第一接続部４１０ｂと第三接続部４１０ｄとの間に複数配置される。第二接続部４１０ｃは、主要部１に含まれる蓄電素子２に対してＹ軸方向で重なるように配置される。すなわち、第二接続部４１０ｃは、隣接部材３（第二隣接部材３２）によって形成される流体の流路の入口及び出口になる領域を躱して配置される。
【００７２】
第三接続部４１０ｄは、主要部１に含まれる第一隣接部材３１にＹ軸方向で重なる位置に配置される。具体的には、第三接続部４１０ｄは、第一隣接部材３１の第一本体部３１０（第三面３１０Ｃ）のＺ軸方向に延びる中心線に対し、Ｚ軸方向に延びる自身の中心線をＹ軸方向から見て一致又は略一致させて配置される。これを前提に、第三接続部４１０ｄの幅は、第一隣接部材３１の第一本体部３１０の厚み（Ｘ軸方向の外寸）より小さく設定される。すなわち、第三接続部４１０ｄは、第一隣接部材３１によって形成される流体の流路の入口及び出口になる領域を躱して配置される。
【００７３】
このように、一対の梁部４１０ａが第一接続部４１０ｂ、複数の第二接続部４１０ｃ及び第三接続部４１０ｄによって接続されることで、本体部４１０は、梯子状に形成される。これに伴い、本体部４１０は、Ｙ軸方向に開放した四角形状の開口部４１４であって、Ｘ軸方向に間隔をあけて配置される複数の開口部４１４を有する。開口部４１４内には、主要部１の蓄電素子２間に形成される流路（複数の流路）の入口又は出口が位置する。
【００７４】
本実施形態に係る蓄電装置ＰＥにおいて、蓄電素子２の安全弁２５を上側にした姿勢、蓄電素子２の安全弁２５を横向きにした姿勢、これらの間の姿勢が設置状態として想定さる。
【００７５】
これに伴い、蓄電素子２の安全弁２５を上側にした姿勢において、他方の梁部４１０ａの端面ＥＳａが上側を向き、蓄電素子２の安全弁２５を横向きにした姿勢において、第一接続部４１０ｂの端面ＥＳｂ、第二接続部４１０ｃの端面ＥＳｃ、及び第三接続部４１０ｄの端面ＥＳｄが上側を向く。また、蓄電素子２の安全弁２５を上側にした姿勢と蓄電素子２の安全弁２５を横向きにした姿勢との間の姿勢において、第一接続部４１０ｂの端面ＥＳｂ、第二接続部４１０ｃの端面ＥＳｃ、及び第三接続部４１０ｄの端面ＥＳｄのそれぞれと他方の梁部４１０ａの端面ＥＳａとの接続部分（円弧面）と、この接続部分を構成する少なくとも何れか一方の端面ＥＳａ，ＥＳｂ，ＥＳｄが上側を向く。なお、ここで「上側を向く」とは、垂直方向において真上に向く状態だけではなく、斜め上方に向く状態を含む。
【００７６】
第一延設部４１１は、本体部４１０（詳しくは、一方の梁部４１０ａ）から各蓄電素子２の第一端面２１Ａに沿って延びる。本実施形態の第一延設部４１１は、主要部１に含まれる蓄電素子２の第一端面２１Ａ側にある本体部４１０の端部からＹ軸方向に延びている。
【００７７】
第二延設部４１２は、本体部４１０（詳しくは、他方の梁部４１０ａ）から各蓄電素子２の第二端面２１Ｂに沿って延びる。本実施形態の第二延設部４１２は、蓄電素子２の第二端面２１Ｂ側にある本体部４１０の端部からＹ軸方向に延びる。Ｙ軸方向における第二延設部４１２の寸法は、同方向における第一延設部４１１の寸法より大きい。
【００７８】
終端延設部４１３は、本体部４１０（詳しくは、第一接続部４１０ｂ）から終端部材４０に沿って延びる。本実施形態において、終端延設部４１３は、本体部４１０のＸ軸方向の端部からＹ軸方向に延びる。終端延設部４１３は、連結部材４１における終端部材４０に固定される部位である。本実施形態において、本実施形態の終端延設部４１３は、図２に示す如く、ビスＢによって終端部材４０に締結される。
【００７９】
インシュレータ５は、絶縁性を有する。本実施形態において、インシュレータ５は、樹脂成型品である。インシュレータ５は、主要部１（蓄電素子２及び隣接部材３）と連結部材４１との間に配置される。インシュレータ５は、少なくとも連結部材４１（本体部４１０）における主要部１（蓄電素子２）側に向いた面を覆う。これにより、インシュレータ５は、主要部１の蓄電素子２と保持部材４とを絶縁する。
【００８０】
具体的に、インシュレータ５は、図１１に示す如く、本体部４１０を覆う本体被覆部５０と、第一延設部４１１を覆う第一被覆部５１と、第二延設部４１２を覆う第二被覆部５２と、本体被覆部５０から主要部１側に延出するシール部５３とを有する。本実施形態において、インシュレータ５は、本体被覆部５０から主要部１側とは反対側に延出するリブ５４をさらに有する。
【００８１】
本体被覆部５０は、本体部４１０における主要部１側に向いた面を覆う。これに伴い、本体被覆部５０は、本体部４１０と対応する形状を有する。
【００８２】
具体的には、本体被覆部５０は、梁部４１０ａの主要部１側に向いた面を覆う一対の被覆部（以下、梁被覆部という）５００と、第一接続部４１０ｂの主要部１側に向いた面を覆う一対の被覆部（以下、第一接続被覆部という）５０１と、第二接続部４１０ｃの主要部１側に向いた面を覆う複数の被覆部（以下、第二接続被覆部という）５０２と、第三接続部４１０ｄの主要部１側に向いた面を覆う被覆部（以下、第三接続被覆部という）５０３とを有する。
【００８３】
図２に示す如く、一対の梁被覆部５００は、それぞれＸ軸方向に延び、Ｚ軸方向に間隔をあけて配置される。一対の梁被覆部５００のうちの一方の梁被覆部５００は、一方の梁部４１０ａの主要部１側に向いた面を覆う。これに対し、一対の梁被覆部５００のうちの他方の梁被覆部５００は、他方の梁部４１０ａの主要部１側に向いた面を覆う。図１２に示す如く、他方の梁被覆部５００は、Ｚ軸方向に第一端部Ｅａ１と該第一端部Ｅａ１の反対側の第二端部Ｅａ２とを有する。
【００８４】
すなわち、他方の梁被覆部５００は、他方の梁部４１０ａの端面と直交する方向（Ｚ軸方向において）において、第一端部Ｅａ１と第二端部Ｅａ２とを有する。他方の梁被覆部５００の第一端部Ｅａ１及び第二端部Ｅａ２のそれぞれは、Ｘ軸方向に真っすぐに延びる。他方の梁被覆部５００は、他方の梁部４１０ａの主要部１側に向いた面を覆った状態で、第一端部Ｅａ１を他方の梁部４１０ａの端面ＥＳａから僅かに突出させる。
【００８５】
なお、図示しないが、本実施形態において、一方の梁被覆部５００についても、Ｚ軸方向に第一端部と該第一端部の反対側の第二端部とを有し、一方の梁部４１０ａの主要部１側に向いた面を覆った状態でＺ軸方向において第一端部Ｅａ１を該一方の梁部４１０ａの端面（他方の梁部４１０ａと向き合う端面）ＥＳａから僅かに突出させる。
【００８６】
図２に示す如く、第一接続被覆部５０１は、Ｚ軸方向に延びる。第一接続被覆部５０１は、第一接続部４１０ｂの主要部１側に向いた面を覆う。第一接続被覆部５０１は、図１３に示す如く、Ｘ軸方向に第一端部Ｅｂ１と該第一端部Ｅｂ１の反対側の第二端部Ｅｂ２とを有する。すなわち、第一接続被覆部５０１は、第一接続部４１０ｂの端面ＥＳｂと直交する方向に第一端部Ｅｂ１と第二端部Ｅｂ２とを有する。第一接続被覆部５０１の第一端部Ｅｂ１及び第二端部Ｅｂ２のそれぞれは、Ｚ軸方向に真っすぐに延びる。第一接続被覆部５０１は、第一接続部４１０ｂの主要部１側に向いた面を覆った状態で、Ｘ軸方向において第一端部Ｅｂ１を第一接続部４１０ｂの端面ＥＳｂから僅かに突出させる。
【００８７】
図２に示す如く、第二接続被覆部５０２は、Ｚ軸方向に延びる。第二接続被覆部５０２は、第二接続部４１０ｃの主要部１側に向いた面を覆う。図１３に示す如く、第二接続被覆部５０２は、Ｘ軸方向に第一端部Ｅｃ１と該第一端部Ｅｃ１の反対側の第二端部Ｅｃ２とを有する。すなわち、第二接続被覆部５０２は、第二接続部４１０ｃの端面ＥＳｂと直交する方向において第一端部Ｅｃ１と第二端部Ｅｃ２とを有する。第二接続被覆部５０２の第一端部Ｅｃ１及び第二端部Ｅｃ２のそれぞれは、Ｚ軸方向に真っすぐに延びる。第二接続被覆部５０２は、第二接続部４１０ｃの主要部１側に向いた面を覆った状態で、Ｘ軸方向において第一端部Ｅｃ１を第二接続部４１０ｃの端面ＥＳｃから僅かに突出させる。
【００８８】
図２に示す如く、第三接続被覆部５０３は、第三接続部４１０ｄの主要部１側に向いた面を覆う。すなわち、第三接続被覆部５０３は、Ｙ軸方向で第一隣接部材３１と重なる位置に配置される。具体的には、第三接続被覆部５０３は、Ｚ方向に延び、一対の梁被覆部５００の長手方向の中央部同士を接続する。すなわち、第三接続被覆部５０３は、第一隣接部材３１の第一本体部３１０（第三面３１０Ｃ）のＺ軸方向に延びる中心線に対し、Ｚ軸方向に延びる自身の中心線をＹ軸方向から見て一致又は略一致させて配置される。これを前提に、Ｘ軸方向における第三接続被覆部５０３の幅は、第一隣接部材３１の第一本体部３１０の厚み（Ｘ軸方向の寸法）より小さく設定される。すなわち、第三接続被覆部５０３は、第一隣接部材３１によって形成される流体の流路の入口及び出口になる領域を躱して配置される。
【００８９】
図１４に示す如く、第三接続被覆部５０３は、Ｘ軸方向に第一端部Ｅｄ１と該第一端部Ｅｄ１の反対側の第二端部Ｅｄ２とを有する。すなわち、第三接続被覆部５０３は、第三接続部４１０ｄの端面ＥＳｄと直交する方向において第一端部Ｅｄ１と第二端部Ｅｄ２とを有する。第三接続被覆部５０３の第一端部Ｅｄ１及び第二端部Ｅｄ２のそれぞれは、Ｚ軸方向に真っすぐ延びる。第三接続被覆部５０３は、第三接続部４１０ｄを覆った状態で、第一端部Ｅｄ１を第三接続部４１０ｄのＸ軸方向の両端にある端面ＥＳｄ，ＥＳｄのうちの一方の端面ＥＳｄから僅か突出させ、第二端部Ｅｄ２を第三接続部４１０ｄのＸ軸方向の両端にある端面ＥＳｄ，ＥＳｄのうちの他方の端面ＥＳｄから僅か突出させる。
【００９０】
図２及び図４に示す如く、第一被覆部５１は、少なくとも第一延設部４１１の蓄電素子２側に向いた面を覆う。本実施形態の第一被覆部５１は、第一延設部４１１の蓄電素子２（第一端面２１Ａ）側に向いた向く面と、第一延設部４１１の蓄電素子２側とは反対側に向いた面とを覆う。
【００９１】
第二被覆部５２は、第二延設部４１２の蓄電素子２（第二端面２１Ｂ）側に向いた面４１２Ａに沿って第二延設部４１２と本体部４１０との境界位置から該第二延設部４１２の先端（Ｙ軸方向の先端）まで延びると共に、該先端で折り返して該第二延設部４１２における蓄電素子２と反対側の面（外面）４１２Ｂに沿って延びる。これにより、第二被覆部５２は、第二延設部４１２を包み込み、第二延設部４１２の両面４１２Ａ，４１２Ｂを覆う。すなわち、第二被覆部５２の先端部（Ｙ軸方向の先端部）は、第二延設部４１２の先端部が差し込まれる袋状である。
【００９２】
図１１に戻り、本実施形態において、インシュレータ５のシール部５３は、Ｙ軸方向から見て無端環状に形成される。すなわち、シール部５３は、複数の第二隣接部材３２のそれぞれによって形成される流体の流路（複数の流路）を取り囲むように無端環状にされる。本実施形態において、インシュレータ５のシール部５３は、図１１及び図１２に示す如く、他方の梁被覆部５００の第一端部Ｅａ１から主要部１側に延出するシール部（以下、第一シール部という）５３ａを含む。インシュレータ５のシール部５３は、図１１及び図１３に示す如く、第一接続被覆部５０１の第一端部Ｅｂ１から主要部１側に延出するシール部（以下、第二シール部という）５３ｂを含む。インシュレータ５は、図１１及び図１４に示す如く、第三接続被覆部５０３の第一端部Ｅｄ１及び第二端部Ｅｄ２のそれぞれから主要部１側に延出するシール部（以下、第三シール部という）５３ｃを含む。さらに、本実施形態において、インシュレータ５のシール部５３は、図１１に示す如く、一方の梁被覆部５００の第一端部から主要部１側にて延出するシール部（以下、第四シール部という）５３ｄを含む。
【００９３】
本実施形態において、蓄電装置ＰＥは、保持部材４に固定される第一隣接部材３１を備えるため、主要部１は、図３に示す如く、第一隣接部材３１を境にして二つのブロックＢ１，Ｂ２に区画される。これに伴い、インシュレータ５は、各ブロックＢ１，Ｂ２に対応するように、第一シール部５３ａ、第二シール部５３ｂ、第三シール部５３ｃ、第四シール部５３ｄをそれぞれ二つずつ有する。
【００９４】
各ブロックＢ１，Ｂ２において、図１２に示す如く、第一シール部５３ａは、Ｚ軸方向に厚みを有している。これに伴い、第一シール部５３ａは、Ｚ軸方向に第一面Ｓａ１と該第一面Ｓａ１の反対側の第二面Ｓａ２とを有する。第一シール部５３ａは、第二面Ｓａ２を他方の梁被覆部５００の第二端部Ｅａ２側に向けている。
【００９５】
各ブロックＢ１，Ｂ２において、第一シール部５３ａは、Ｘ軸方向に延びる。本実施形態において、第一シール部５３ａは、何れか一方の第一接続被覆部５０１の第一端部Ｅｂ１から第三接続被覆部５０３の第一端部Ｅｄ１又は第二端部Ｅｄ２にまで延びる（図１１参照）。第一シール部５３ａのＹ軸方向における他方の梁被覆部５００からの突出量は、主要部１に接触可能な突出量に設定される。本実施形態において、第一シール部５３ａのＹ軸方向における他方の梁被覆部５００からの突出量は、第二隣接部材３２の第二規制部３２１に接触可能な突出量に設定される。本実施形態において、第一シール部５３ａは、弾性変形可能である。
【００９６】
各ブロックＢ１，Ｂ２において、図１３に示す如く、第二シール部５３ｂは、Ｘ軸方向に厚みを有している。これに伴い、第二シール部５３ｂは、Ｘ軸方向に第一面Ｓｂ１と該第一面Ｓｂ１の反対側の第二面Ｓｂ２とを有する。第二シール部５３ｂは、第二面Ｓｂ２を第一接続被覆部５０１の第二端部Ｅｂ２側に向けている。第二シール部５３ｂは、Ｚ軸方向に延びている（図１１参照）。第二シール部５３ｂのＹ軸方向における第一接続被覆部５０１からの突出量は、主要部１に接触可能な突出量に設定される。本実施形態において、第二シール部５３ｂのＹ軸方向における第一接続被覆部５０１からの突出量は、第三隣接部材３３の第三本体部３３０のＹ軸方向における外面に接触可能な突出量に設定される。本実施形態において、第二シール部５３ｂは、弾性変形可能である。
【００９７】
各ブロックＢ１，Ｂ２において、第二シール部５３ｂは、第一シール部５３ａの長手方向の一方の端部と接続される。本実施形態において、第一シール部５３ａと第二シール部５３ｂとの接続部分は、Ｙ軸方向から見て円弧状に湾曲している（図１１参照）。
【００９８】
各ブロックＢ１，Ｂ２において、図１４に示す如く、第三シール部５３ｃは、Ｘ軸方向に厚みを有している。これに伴い、第三シール部５３ｃは、Ｘ軸方向に第一面Ｓｃ１と該第一面Ｓｃ１の反対側の第二面Ｓｃ２とを有する。第三シール部５３ｃは、第二面Ｓｃ２を当該第三シール部５３ｃの接続される第一端部Ｅｄ１又は第二端部Ｅｄ２の反対側の端部（第一端部Ｅｄ１又は第二端部Ｅｄ２）側に向けている。すなわち、第三接続被覆部５０３の第一端部Ｅｄ１から延出する第三シール部５３ｃと、第三接続被覆部５０３の第二端部Ｅｄ２から延出する第三シール部５３ｃとは、互いの第二面Ｓｃ２を対向させる。
【００９９】
各ブロックＢ１，Ｂ２において、第三シール部５３ｃは、Ｚ軸方向に延びている（図１１参照）。第三シール部５３ｃのＹ軸方向における第三接続被覆部５０３からの突出量は、主要部１に接触可能な突出量に設定される。本実施形態において、第三シール部５３ｃのＹ軸方向における第三接続被覆部５０３からの突出量は、第一隣接部材３１の第一本体部３１０のＹ軸方向における外面に接触可能な突出量に設定される。本実施形態において、第三シール部５３ｃは、弾性変形可能である。
【０１００】
各ブロックＢ１，Ｂ２において、第三シール部５３ｃは、第一シール部５３ａの長手方向の他方の端部と接続される。本実施形態において、第一シール部５３ａと第三シール部５３ｃとの接続部分は、Ｙ軸方向から見て円弧状に湾曲している（図１１参照）。
【０１０１】
図９に戻り、各ブロックＢ１，Ｂ２において、第四シール部５３ｄは、Ｚ軸方向に厚みを有している。これに伴い、第四シール部５３ｄは、Ｚ軸方向に第一面(採番しない）と該第一面の反対側の第二面（採番しない）とを有する。各ブロックＢ１，Ｂ２において、第四シール部５３ｄは、第一シール部５３ａに対してＺ軸方向に間隔をあけて対向する。すなわち、第四シール部５３ｄは、何れか一方の第一接続被覆部５０１の第一端部Ｅｂ１から第三接続被覆部５０３の第一端部Ｅｄ１又は第二端部Ｅｄ２にまで延びる。本実施形態において、第四シール部５３ｄは、各ブロックＢ１，Ｂ２において、主要部１のうちの第二隣接部材３２の第二規制部３２１に接触する。
【０１０２】
第四シール部５３ｄの長手方向の一方の端部は、第二シール部５３ｂに接続され、第四シール部５３ｄの長手方向の他方の端部は、第三シール部５３ｃに接続される。この接続部分のそれぞれは、Ｙ軸方向から見て円弧状に湾曲している（図１１参照）。
【０１０３】
このように、シール部５３は、第一シール部５３ａ、第二シール部５３ｂ、第三シール部５３ｃ、及び第四シール部５３ｄが繋がることで環状となり、主要部１に形成される複数の流路（蓄電素子２間の流路）を取り囲んでいる。
【０１０４】
インシュレータ５のリブ５４は、図１１及び図１２に示す如く、他方の梁被覆部５００の第一端部Ｅａ１から主要部１側とは反対側に延出するリブ（以下、第一リブという）５４ａを含む。本実施形態において、インシュレータ５のリブ５４は、図１１及び図１３に示す如く、第一接続被覆部５０１の第一端部Ｅｂ１から主要部１側とは反対側に延出するリブ（以下、第二リブという）５４ｂを含む。本実施形態において、インシュレータ５のリブ５４は、図１１及び図１４に示す如く、第三接続被覆部５０３の端部（第一端部Ｅｄ１及び第二端部Ｅｄ２）から主要部１側とは反対側に延出するリブ（以下、第三リブという）５４ｃを含む。本実施形態において、インシュレータ５のリブ５４は、図１１に示す如く、一方の梁被覆部５００の端部（第一端部）から主要部１側とは反対側に延出するリブ（以下、第四リブという）５４ｄと、第二接続被覆部５０２の端部（第一端部Ｅｃ１及び第二端部Ｅｃ２）から主要部１側とは反対側に延出するリブ（以下、第五リブという）５４ｅとを含む（図１３参照）。
【０１０５】
図１１に示す如く、第一リブ５４ａは、Ｘ軸方向に間隔をあけて複数設けられる。本実施形態において、主要部１は、上述の如く、Ｘ軸方向で二つのブロックＢ１，Ｂ２に区切られている。これに伴い、第一リブ５４ａは、各ブロックＢ１，Ｂ２において、Ｘ軸方向に間隔をあけて複数設けられる。より具体的には、第一リブ５４ａは、Ｘ軸方向において隣り合う第一接続部４１０ｂと第二接続部４１０ｃとの間、Ｘ軸方向において隣り合う第二接続部４１０ｃ，４１０ｃ同士の間、Ｘ軸方向において隣り合う第二接続部４１０ｃと第三接続部４１０ｄとの間に対応するように配置される。
【０１０６】
第一リブ５４ａは、図１２に示す如く、Ｙ軸方向において、他方の梁被覆部５００に接続される基端と、該基端の反対側の先端とを有する。第一リブ５４ａは、Ｙ軸方向において、先端側が他方の梁部４１０ａの外側に延在する長さに設定される。第一リブ５４ａは、Ｚ軸方向（他方の梁部４１０ａの端面ＥＳａと直交する方向）において、該他方の梁部４１０ａの端面ＥＳａと対向する第一面Ｓｄ１と、該第一面Ｓｄ１の反対側の第二面Ｓｄ２とを有する。第一リブ５４ａの第二面Ｓｄ２は、第一シール部５３ａの第一面Ｓａ１と連続する。本実施形態において、複数の第一リブ５４ａの第二面Ｓｄ２は、基端側から先端側に向け先下りに傾斜している。
【０１０７】
第二リブ５４ｂは、各ブロックＢ１，Ｂ２において、第一接続部４１０ｂに対応して設けられる。具体的に説明する。第二リブ５４ｂは、図１３に示す如く、Ｙ軸方向において、第一接続被覆部５０１に接続される基端と、該基端の反対側の先端とを有する。第二リブ５４ｂは、Ｙ軸方向において、先端側が第一接続部４１０ｂの外側に延在する長さに設定される。第二リブ５４ｂは、Ｘ軸方向において、該第一接続部４１０ｂの端面ＥＳｂと対向する第一面Ｓｅ１と、該第一面Ｓｅ１の反対側の第二面Ｓｅ２とを有する。第二リブ５４ｂの第二面Ｓｅ２は、第二シール部５３ｂの第一面Ｓｂ１と連続する。本実施形態において、第二リブ５４ｂの第二面Ｓｅ２は、基端側から先端側に向け先下りに傾斜している。
【０１０８】
第二リブ５４ｂは、第一接続部４１０ｂと第二接続部４１０ｃとの間に配置される第一リブ５４ａに接続される。第一リブ５４ａと第二リブ５４ｂとの接続部分は、Ｙ軸方向から見て円弧状に湾曲している（図１１参照）。
【０１０９】
第三リブ５４ｃは、各ブロックＢ１，Ｂ２において、第三接続部４１０ｄに対応して設けられる。具体的に説明する。第三リブ５４ｃは、図１４に示す如く、Ｙ軸方向において、第三接続被覆部５０３に接続される基端と、該基端の反対側の先端とを有する。第三リブ５４ｃは、Ｙ軸方向において、先端側が第三接続部４１０ｄの外側に延在する長さに設定される。
【０１１０】
第三リブ５４ｃは、Ｘ軸方向において、第三接続部４１０ｄの端面ＥＳｄと対向する第一面Ｓｆ１と、該第一面Ｓｆ１の反対側の第二面Ｓｆ２とを有する。第三リブ５４ｃの第二面Ｓｆ２は、第三シール部５３ｃの第一面Ｓｃ１と連続している。本実施形態において、第三リブ５４ｃの第二面Ｓｆ２は、基端側から先端側に向け先下りに傾斜している。
【０１１１】
第三リブ５４ｃは、第二接続部４１０ｃと第三接続部４１０ｄとの間に配置される第一リブ５４ａに接続される。第一リブ５４ａと第三リブ５４ｃとの接続部分は、Ｙ軸方向から見て円弧状に湾曲している（図１１参照）。
【０１１２】
図１１に示す如く、第四リブ５４ｄは、Ｘ軸方向に間隔をあけて複数設けられる。本実施形態において、主要部１は、上述の如く、Ｘ軸方向で二つのブロックＢ１，Ｂ２に区切られている。これに伴い、第四リブ５４ｄは、各ブロックＢ１，Ｂ２において、Ｘ軸方向に間隔をあけて複数設けられる。より具体的には、第四リブ５４ｄは、Ｘ軸方向において隣り合う第一接続部４１０ｂと第二接続部４１０ｃとの間、Ｘ軸方向において隣り合う第二接続部４１０ｃ，４１０ｃ同士の間、Ｘ軸方向において隣り合う第二接続部４１０ｃと第三接続部４１０ｄとの間に対応するように配置される。
【０１１３】
具体的に説明する。複数の第四リブ５４ｄのそれぞれは、Ｙ軸方向において、一方の梁被覆部５００に接続される基端と、該基端の反対側の先端とを有する。複数の第四リブ５４ｄのそれぞれは、Ｙ軸方向において、先端側が一方の梁部４１０ａの外側に延在する長さに設定される。第二接続部４１０ｃと第三接続部４１０ｄとの間に配置される第四リブ５４ｄは、第三リブ５４ｃに接続される。第一リブ５４ａと第三リブ５４ｃとの接続部分は、Ｙ軸方向から見て円弧状に湾曲している。
【０１１４】
第五リブ５４ｅは、各ブロックＢ１，Ｂ２において、第二接続部４１０ｃに対応して設けられる。具体的に説明する。第五リブ５４ｅは、図１１及び図１３に示す如く、Ｙ軸方向において、第二接続被覆部５０２に接続される基端と、該基端の反対側の先端とを有する。第二接続被覆部５０２は、Ｘ軸方向の両端部(第一端部Ｅｃ１、第二端部Ｅｃ２）を有するため、第五リブ５４ｅは、第二接続被覆部５０２の両端部(第一端部Ｅｃ１、第二端部Ｅｃ２）のそれぞれに対して設けられる。
【０１１５】
第五リブ５４ｅは、Ｙ軸方向において、先端側が第二接続部４１０ｃの外側に延在する長さに設定される。第五リブ５４ｅは、第一リブ５４ａ及び第四リブ５４ｄに接続される。第五リブ５４ｅに対する第一リブ５４ａ及び第四リブ５４ｄとの接続部分は、Ｙ軸方向から見て円弧状に湾曲している（図１１参照）。
【０１１６】
このように、第五リブ５４ｅが第二接続被覆部５０２のＸ軸方向の端部に対応して設けられるとともに、第一リブ５４ａ及び第四リブ５４ｄに接続されることにより、リブ５４は、Ｙ軸方向から見て環状になっている。環状になったリブ５４（第一リブ５４ａ、第二リブ５４ｂ、第三リブ５４ｃ、第四リブ５４ｄ）は、対応する連結部材４１の開口部４１４を通って外側に延在する。
【０１１７】
図１、図２及び図４に示す如く、バスバ６は、金属等の導電性を有する板状の部材である。バスバ６は、異なる蓄電素子２の外部端子２０同士を導通させる。バスバ６は、蓄電装置ＰＥにおいて複数（複数の蓄電素子２と対応する数）設けられる。本実施形態の複数のバスバ６は、蓄電装置ＰＥに含まれる複数の蓄電素子２の全てを直列に接続する（導通させる）。
【０１１８】
本実施形態に係る蓄電装置ＰＥは、以上の通りであり、主要部１の各ブロックＢ１，Ｂ２において、第一隣接部材３１の第一規制部３１１、複数の第二隣接部材３２の第二規制部３２１、及び第三隣接部材３３の第三規制部３３１が、Ｘ軸方向に連なる。これにより、第一規制部３１１、第二規制部３２１及び第三規制部３３１のそれぞれの第一片３１１ａ，３２１ａ，３３１ａの外面が連続面になる。
【０１１９】
これに伴い、図１５に示す如く、インシュレータ５の第一シール部５３ａは、Ｘ方向に連なる第一片３１１ａ，３２１ａ，３３１ａの外面に当接する。本実施形態において、第一シール部５３ａは、第一片３１１ａ，３２１ａ，３３１ａの外面に含まれるテーパ面に当接する。第一シール部５３ａは、上記の通り、弾性変形可能であるため、第一片３１１ａ，３２１ａ，３３１ａのテーパ面に当接した状態で湾曲状に変形し、主要部１（第一隣接部材３１の第一規制部３１１、第二隣接部材３２の第二規制部３２１、及び第三隣接部材３３の第三規制部３３１）との密接性を確保する。
【０１２０】
従って、蓄電装置ＰＥが蓄電素子２の安全弁２５を上側にした姿勢で設置された場合、主要部１（蓄電素子２のケース２１）を伝う水滴Ｗが第一シール部５３ａに受け止められる。本実施形態において、第一シール部５３ａは、梁部４１０ａの端面ＥＳａよりも僅かに突出した梁被覆部５００の第一端部Ｅａ１に接続されているため、第一シール部５３ａに受け止められた水滴Ｗは、梁部４１０ａと主要部１との間に溜まることなく、第一シール部５３ａを伝って流れる。
【０１２１】
本実施形態において、第一リブ５４ａが梁部４１０ａから外側に延在し、且つ第一リブ５４ａの第二面Ｓｄ２が第一シール部５３ａの第一面Ｓａ１と連続するため、第一シール部５３ａに受け止められた水滴Ｗは、外部に排出される。特に、本実施形態において、第一リブ５４ａの第二面Ｓｄ２は、先端に向うに連れて先下りに傾斜しているため、水滴Ｗは第二面Ｓｄ２の傾斜により、外部に向けて誘導される。
【０１２２】
また、主要部１の各ブロックＢ１，Ｂ２において、図１６に示す如く、インシュレータ５の第二シール部５３ｂは、第三隣接部材３３の第三本体部３３０のＹ軸方向を向く外面に当接する。本実施形態において、第二シール部５３ｂは、第三本体部３３０のＹ軸方向を向く外面に含まれるテーパ面に当接する。第二シール部５３ｂは、上記の通り、弾性変形可能であるため、第三本体部３３０の外面に含まれるテーパ面に当接した状態で湾曲状に変形し、主要部１（第三隣接部材３３の第三本体部３３０）との密接性を確保する。
【０１２３】
さらに、主要部１の各ブロックＢ１，Ｂ２において、図１６に示す如く、インシュレータ５の第三シール部５３ｃは、第一隣接部材３１の第一本体部３１０のＹ軸方向を向く外面（第三面３１０Ｃ）に当接する。本実施形態において、第二シール部５３ｂは、第一本体部３１０のＹ軸方向を向く外面（第三面３１０Ｃ）に含まれるテーパ面に当接する。第三シール部５３ｃは、上記の通り、弾性変形可能であるため、第一本体部３１０の外面（第三面３１０Ｃ）に含まれるテーパ面に当接した状態で湾曲状に変形し、主要部１（第一隣接部材３１の第一本体部３１０）との密接性を確保する。
【０１２４】
従って、蓄電装置ＰＥが蓄電素子２の安全弁２５を横向きにした姿勢で設置された場合、図１６及び図１７に示す如く、主要部１（蓄電素子２のケース２１）を伝う水滴Ｗが第二シール部５３ｂ及び第三シール部５３ｃのそれぞれに受け止められる。
【０１２５】
第二シール部５３ｂは、第一接続部４１０ｂの端面ＥＳｂよりも僅かに突出した第一接続被覆部５０１の第一端部Ｅｂ１に接続されているため、第二シール部５３ｂに受け止められた水滴Ｗは、第一接続部４１０ｂと主要部１との間に溜まることなく、第二シール部５３ｂを伝って流れる。
【０１２６】
本実施形態において、第二リブ５４ｂが第一接続部４１０ｂから外側に延在し、且つ第二リブ５４ｂの第二面Ｓｅ２が第二シール部５３ｂの第一面Ｓｂ１と連続するため、第二シール部５３ｂに受け止められた水滴Ｗは、外部に排出される。特に、本実施形態において、第二リブ５４ｂの第二面Ｓｅ２は、先端に向うに連れて先下りに傾斜しているため、水滴Ｗは第二面Ｓｅ２の傾斜により、外部に向けて誘導される。
【０１２７】
そして、第三シール部５３ｃは、第三接続部４１０ｄの端面ＥＳｄよりも僅かに突出した第三接続被覆部５０３の端部（第一端部Ｅｄ１又は第二端部Ｅｄ２）に接続されているため、第三シール部５３ｃに受け止められた水滴Ｗは、第三接続部４１０ｄと主要部１との間に溜まることなく、第三シール部５３ｃを伝って流れる。
【０１２８】
本実施形態において、第三リブ５４ｃが第三接続部４１０ｄから外側に延在し、且つ第三リブ５４ｃの第二面Ｓｆ２が第三シール部５３ｃの第一面Ｓｃ１と連続するため、第三シール部５３ｃに受け止められた水滴Ｗは、外部に排出される。特に、本実施形態において、第三リブ５４ｃの第二面Ｓｆ２は、先端に向うに連れて先下りに傾斜しているため、水滴Ｗは第二面Ｓｆ２の傾斜により、外部に向けて誘導される。
【０１２９】
以上の通り、本実施形態の蓄電装置ＰＥは、蓄電素子２を含む主要部１と、主要部１に対して間隔をあけて配置される導電性の対向部材（連結部材）４１と、主要部１と対向部材（連結部材）４１との間に配置される絶縁部材（インシュレータ）５とを備え、対向部材（連結部材）４１は、少なくとも一部が主要部１と重なる対向部４１０ａ，４１０ｂ，４１０ｄ（他方の梁部４１０ａ、第一接続部４１０ｂ、第三接続部４１０ｄ）を有し、対向部４１０ａ，４１０ｂ，４１０ｄ（他方の梁部４１０ａ、第一接続部４１０ｂ、第三接続部４１０ｄ）は、主要部１と重なる位置にある端面ＥＳａ，ＥＳｂ，ＥＳｄであって、設置状態で上側を向く端面ＥＳａ，ＥＳｂ，ＥＳｄを有し、絶縁部材５（インシュレータ５）は、少なくとも対向部４１０ａ，４１０ｂ，４１０ｄ（他方の梁部４１０ａ、第一接続部４１０ｂ、第三接続部４１０ｄ）の主要部１側に向いた面を覆う被覆部５００，５０１，５０３（梁被覆部５００、第一接続被覆部５０１、第三接続被覆部５０３）と、該被覆部５００，５０１，５０３（梁被覆部５００、第一接続被覆部５０１、第三接続被覆部５０３）から主要部１に向けて延出し、主要部１と被覆部５００，５０１，５０３（梁被覆部５００、第一接続被覆部５０１、第三接続被覆部５０３）との間の隙間を閉じるシール部５３ａ，５３ｂ，５３ｃ（第一シール部５３ａ、第二シール部５３ｂ、第三シール部５３ｃ）とを備え、被覆部５００，５０１，５０３（梁被覆部５００、第一接続被覆部５０１、第三接続被覆部５０３）は、端面と直交する方向において対向部４１０ａ，４１０ｂ，４１０ｄ（他方の梁部４１０ａ、第一接続部４１０ｂ、第三接続部４１０ｄ）の端面ＥＳａ，ＥＳｂ，ＥＳｄよりも外側の位置にある端部Ｅａ１，Ｅｂ１，Ｅｄ１，Ｅｄ２（第一端部Ｅａ１，Ｅｂ１，Ｅｄ１、第二端部Ｅｄ２）を有し、シール部５３ａ，５３ｂ，５３ｃ（第一シール部５３ａ、第二シール部５３ｂ、第三シール部５３ｃ）は、被覆部５００，５０１，５０３（梁被覆部５００、第一接続被覆部５０１、第三接続被覆部５０３）の端部Ｅａ１，Ｅｂ１，Ｅｄ１，Ｅｄ２（第一端部Ｅａ１，Ｅｂ１，Ｅｄ１、第二端部Ｅｄ２）から主要部１に向けて延出する。
【０１３０】
上記構成によれば、被覆部５００，５０１，５０３（梁被覆部５００、第一接続被覆部５０１、第三接続被覆部５０３）と対向部４１０ａ，４１０ｂ，４１０ｄ（他方の梁部４１０ａ、第一接続部４１０ｂ、第三接続部４１０ｄ）とが並ぶ方向と直交する方向において、被覆部５００，５０１，５０３（梁被覆部５００、第一接続被覆部５０１、第三接続被覆部５０３）の端部Ｅａ１，Ｅｂ１，Ｅｄ１，Ｅｄ２（第一端部Ｅａ１，Ｅｂ１，Ｅｄ１、第二端部Ｅｄ２）とシール部５３ａ，５３ｂ，５３ｃ（第一シール部５３ａ、第二シール部５３ｂ、第三シール部５３ｃ）とが一致する。これにより、蓄電素子２を含む主要部１と被覆部５００，５０１，５０３（梁被覆部５００、第一接続被覆部５０１、第三接続被覆部５０３）との間に水滴の溜まる空間（所謂、ポケット）が形成されない。
【０１３１】
また、対向部４１０ａ，４１０ｂ，４１０ｄ（他方の梁部４１０ａ、第一接続部４１０ｂ、第三接続部４１０ｄ）を覆う被覆部５００，５０１，５０３（梁被覆部５００、第一接続被覆部５０１、第三接続被覆部５０３）の端部Ｅａ１，Ｅｂ１，Ｅｄ１，Ｅｄ２（第一端部Ｅａ１，Ｅｂ１，Ｅｄ１、第二端部Ｅｄ２）であって、シール部５３ａ，５３ｂ，５３ｃ（第一シール部５３ａ、第二シール部５３ｂ、第三シール部５３ｃ）が延出する端部Ｅａ１，Ｅｂ１，Ｅｄ１，Ｅｄ２（第一端部Ｅａ１，Ｅｂ１，Ｅｄ１、第二端部Ｅｄ２）が、該被覆部５００，５０１，５０３（梁被覆部５００、第一接続被覆部５０１、第三接続被覆部５０３）と対向部４１０ａ，４１０ｂ，４１０ｄ（他方の梁部４１０ａ、第一接続部４１０ｂ、第三接続部４１０ｄ）とが並ぶ方向と直交する方向において対向部４１０ａ，４１０ｂ，４１０ｄ（他方の梁部４１０ａ、第一接続部４１０ｂ、第三接続部４１０ｄ）の端面ＥＳａ，ＥＳｂ，ＥＳｄよりも外側の位置にある。これにより、対向部４１０ａ，４１０ｂ，４１０ｄ（他方の梁部４１０ａ、第一接続部４１０ｂ、第三接続部４１０ｄ）と被覆部５００，５０１，５０３（梁被覆部５００、第一接続被覆部５０１、第三接続被覆部５０３）との間にも水滴の溜まる空間が形成されない。
【０１３２】
従って、蓄電装置ＰＥを設置した状態において、蓄電素子２を含む主要部１に付着した水滴Ｗがシール部５３ａ，５３ｂ，５３ｃ（第一シール部５３ａ、第二シール部５３ｂ、第三シール部５３ｃ）に到達すると、水滴Ｗは、シール部５３ａ，５３ｂ，５３ｃ（第一シール部５３ａ、第二シール部５３ｂ、第三シール部５３ｃ）、被覆部５００，５０１，５０３（梁被覆部５００、第一接続被覆部５０１、第三接続被覆部５０３）の端部Ｅａ１，Ｅｂ１，Ｅｄ１，Ｅｄ２（第一端部Ｅａ１，Ｅｂ１，Ｅｄ１、第二端部Ｅｄ２）を通って外側に排出される。よって、上記構成の蓄電装置ＰＥは、蓄電素子２を含む主要部１と対向部材（連結部材）４１との間に水滴が溜まることを抑制し、絶縁性能が低下することを抑制できる。
【０１３３】
本実施形態において、絶縁部材５（インシュレータ５）は、被覆部５００，５０１，５０３（梁被覆部５００、第一接続被覆部５０１、第三接続被覆部５０３）からシール部５３ａ，５３ｂ，５３ｃ（第一シール部５３ａ、第二シール部５３ｂ、第三シール部５３ｃ）とは反対側に延出し且つ対向部４１０ａ，４１０ｂ，４１０ｄ（他方の梁部４１０ａ、第一接続部４１０ｂ、第三接続部４１０ｄ）の端面ＥＳａ，ＥＳｂ，ＥＳｄに対向するリブ５４（第一リブ５４ａ、第二リブ５４ｂ、第三リブ５４ｃ）を備え、リブ５４（第一リブ５４ａ、第二リブ５４ｂ、第三リブ５４ｃ）は、被覆部５００，５０１，５０３（梁被覆部５００、第一接続被覆部５０１、第三接続被覆部５０３）の端部Ｅａ１，Ｅｂ１，Ｅｄ１，Ｅｄ２（第一端部Ｅａ１，Ｅｂ１，Ｅｄ１、第二端部Ｅｄ２）から延出する。
【０１３４】
上記構成によれば、リブ５４（第一リブ５４ａ、第二リブ５４ｂ、第三リブ５４ｃ）が対向部４１０ａ，４１０ｂ，４１０ｄ（他方の梁部４１０ａ、第一接続部４１０ｂ、第三接続部４１０ｄ）の端面ＥＳａ，ＥＳｂ，ＥＳｄを覆う。これにより、シール部５３ａ，５３ｂ，５３ｃ（第一シール部５３ａ、第二シール部５３ｂ、第三シール部５３ｃ）に到達した水滴が外側に流れたときに、リブ５４（第一リブ５４ａ、第二リブ５４ｂ、第三リブ５４ｃ）が対向部４１０ａ，４１０ｂ，４１０ｄ（他方の梁部４１０ａ、第一接続部４１０ｂ、第三接続部４１０ｄ）に対する水滴の付着を阻止する。
【０１３５】
また、対向部４１０ａ，４１０ｂ，４１０ｄ（他方の梁部４１０ａ、第一接続部４１０ｂ、第三接続部４１０ｄ）の端面ＥＳａ，ＥＳｂ，ＥＳｄに対向するリブ５４（第一リブ５４ａ、第二リブ５４ｂ、第三リブ５４ｃ）が、被覆部５００，５０１，５０３（梁被覆部５００、第一接続被覆部５０１、第三接続被覆部５０３）の端部Ｅａ１，Ｅｂ１，Ｅｄ１，Ｅｄ２（第一端部Ｅａ１，Ｅｂ１，Ｅｄ１、第二端部Ｅｄ２）から延出するため、リブ５４（第一リブ５４ａ、第二リブ５４ｂ、第三リブ５４ｃ）が設けられても、水滴の流れが阻害されることもない。
【０１３６】
特に、リブ５４（第一リブ５４ａ、第二リブ５４ｂ、第三リブ５４ｃ）は、被覆部５００，５０１，５０３（梁被覆部５００、第一接続被覆部５０１、第三接続被覆部５０３）に接続される基端と、該基端の反対側の先端とを有し、リブ５４（第一リブ５４ａ、第二リブ５４ｂ、第三リブ５４ｃ）の先端側が対向部４１０ａ，４１０ｂ，４１０ｄ（他方の梁部４１０ａ、第一接続部４１０ｂ、第三接続部４１０ｄ）の外側に延在する。
【０１３７】
上記構成によれば、リブ５４（第一リブ５４ａ、第二リブ５４ｂ、第三リブ５４ｃ）が水滴Ｗを対向部４１０ａ，４１０ｂ，４１０ｄ（他方の梁部４１０ａ、第一接続部４１０ｂ、第三接続部４１０ｄ）の外側にまで誘導する。従って、対向部４１０ａ，４１０ｂ，４１０ｄ（他方の梁部４１０ａ、第一接続部４１０ｂ、第三接続部４１０ｄ）に対する水滴Ｗの付着を抑えることができる。
【０１３８】
リブ５４（第一リブ５４ａ、第二リブ５４ｂ、第三リブ５４ｃ）は、端面ＥＳａ，ＥＳｂ，ＥＳｄと直交する方向において、対向部４１０ａ，４１０ｂ，４１０ｄ（他方の梁部４１０ａ、第一接続部４１０ｂ、第三接続部４１０ｄ）の端面ＥＳａ，ＥＳｂ，ＥＳｄと対向する第一面Ｓｄ１，Ｓｅ１，Ｓｆ１と、該第一面Ｓｄ１，Ｓｅ１，Ｓｆ１の反対側の第二面Ｓｄ２，Ｓｅ２，Ｓｆ２とを有し、第二面Ｓｄ２，Ｓｅ２，Ｓｆ２は、基端側から先端側に向け先下りに傾斜する。
【０１３９】
上記構成によれば、リブ５４（第一リブ５４ａ、第二リブ５４ｂ、第三リブ５４ｃ）の第二面Ｓｄ２，Ｓｅ２，Ｓｆ２の傾斜により、水滴Ｗがリブ５４（第一リブ５４ａ、第二リブ５４ｂ、第三リブ５４ｃ）の先端に向けて流れる。従って、水滴Ｗが対向部４１０ａ，４１０ｂ，４１０ｄ（他方の梁部４１０ａ、第一接続部４１０ｂ、第三接続部４１０ｄ）の外側に確実に排出される。
【０１４０】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【０１４１】
上記実施形態において、インシュレータ５がリブ５４を備えたが、これに限定されない。例えば、インシュレータ５は連結部材４１の本体部４１０を覆う被覆部（梁被覆部５００、第一接続被覆部５０１、第二接続被覆部５０２、第三接続被覆部５０３）及びシール部５３（第一シール部５３ａ、第二シール部５３ｂ、第三シール部５３ｃ）のみを備えたものであってもよい。但し、水滴の排水性を考慮すれば、上記実施形態と同様にリブ５４を備えることが好ましいことは言うまでもない。なお、インシュレータ５がリブ５４を備えない場合、被覆部（梁被覆部５００、第一接続被覆部５０１、第三接続被覆部５０３）の端部Ｅａ１，Ｅｂ１，Ｅｄ１，Ｅｄ２（第一端部Ｅａ１，Ｅｂ１，Ｅｄ１、第二端部Ｅｄ２）は、対向部４１０ａ，４１０ｂ，４０１ｄ（梁部４１０ａ、第一接続部４１０ｂ，第三接続部４１０ｄ）の端面ＥＳａ，ＥＳｂ，ＥＳｄと直交する方向において、その端面ＥＳａ，ＥＳｂ，ＥＳｄと一致又は略一致してもよい。このようにしても、シール部５３（第一シール部５３ａ、第二シール部５３ｂ、第三シール部５３ｃ）が被覆部（梁被覆部５００、第一接続被覆部５０１、第三接続被覆部５０３）の端部Ｅａ１，Ｅｂ１，Ｅｄ１，Ｅｄ２（第一端部Ｅａ１，Ｅｂ１，Ｅｄ１、第二端部Ｅｄ２）から延出されることで、水滴Ｗの溜まる空間が形成されず、該水滴Ｗを外部に排出することができる。
【０１４２】
上記実施形態において、主要部１に含まれる隣接部材３（第一隣接部材３１（第一本体部３１０及び第一規制部３１１）、第二隣接部材３２（第二規制部３２１）、第三隣接部材３３（第三本体部３３０及び第三規制部３３１）に対しインシュレータ５のシール部５３（第一シール部５３ａ、第二シール部５３ｂ、第三シール部５３ｃ）が当接したが、これに限定されない。例えば、インシュレータ５のシール部５３（第一シール部５３ａ、第二シール部５３ｂ、第三シール部５３ｃ）は、主要部１に含まれる蓄電素子２（ケース２１）に当接してもよい。また、主要部１が複数の蓄電素子２を含む場合、該複数の蓄電素子２の並ぶ方向に延びるシール部５３（第一シール部５３ａ）は、主要部１に含まれる蓄電素子２及び隣接部材３（第一隣接部材３１、第二隣接部材３２、第三隣接部材３３）の両方に接触してもよい。
【０１４３】
上記実施形態において、蓄電装置ＰＥの設置状態として、蓄電素子２の安全弁２５を上側にした姿勢、蓄電素子２の安全弁２５を横向きにした姿勢、これらの間の姿勢を想定したことに伴い、シール部５３が第一シール部５３ａ、第二シール部５３ｂ、及び第三シール部５３ｃを含んだが、これに限定されない。
【０１４４】
例えば、蓄電素子２の安全弁２５を上側にした姿勢のみが蓄電装置ＰＥの設置状態として想定された場合には、シール部５３は第一シール部５３ａのみで構成されてもよい。また、蓄電素子２の安全弁２５を横向きにした姿勢のみが蓄電装置ＰＥの設置状態として想定された場合には、シール部５３は、第二シール部５３ｂ及び第三シール部５３ｃの少なくとも何れか一方で構成されてもよい。さらに、蓄電素子２の安全弁２５を上側にした姿勢と蓄電素子２の安全弁２５を横向きにした姿勢との間の姿勢のみが蓄電装置ＰＥの設置状態として想定された場合には、シール部５３は、互いに接続されていることを前提に、第一シール部５３ａ及び第二シール部５３ｂで構成されるか、第二シール部５３ｂ及び第三シール部５３ｃで構成されればよい。インシュレータ５がリブ５４を備える場合、リブ５４（第一リブ５４ａ、第二リブ５４ｂ、第三リブ５４ｃ）は、シール部５３（第一シール部５３ａ、第二シール部５３ｂ、第三シール部５３ｃ）の配置に対応して設けられればよい。
【０１４５】
上記実施形態において、第一シール部５３ａ、第二シール部５３ｂ、第三シール部５３ｃ、及び第四シール部５３ｄが繋がることで、主要部１に含まれる複数の流路を包囲したが、これに限定されない。例えば、シール部５３が、上記構成に加え、第二接続被覆部５０２の端部Ｅｃ１，Ｅｃ２（第一端部Ｅｃ１及び第二端部Ｅｃ２のそれぞれ）から主要部１に向けて延出し且つ主要部１と連結部材４１との間を閉じるシール部であって、第一シール部５３ａ及び第四シール部５３ｄに接続されるシール部を備えてもよい。
【０１４６】
このようにすれば、連結部材４１の開口部４１４の輪郭に応じてシール部５３が配置され、シール部５３が流体を流通させる流路を包囲する。従って、上記実施形態と同様に、流体が蓄電素子２間の流路に効率的に誘導される。また、蓄電素子２の安全弁２５を横向きにした姿勢のみが蓄電装置ＰＥの設置状態として想定された場合において、第二接続被覆部５０２の端部Ｅｃ１，Ｅｃ２（第一端部Ｅｃ１及び第二端部Ｅｃ２のそれぞれ）から延出するシール部は、第二シール部５３ｂ及び第三シール部５３ｃと同様に、水滴Ｗを受け止める。従って、水滴Ｗは、連結部材（対向部材）４１と主要部１との間に溜まることなくシール部を伝って外部に排出される。
【０１４７】
上記実施形態において、主要部１が第一隣接部材３１を境にして二つのブロックＢ１，Ｂ２に区画されたが、これに限定されない。例えば、一対の第三隣接部材３３の間において、蓄電素子２及び第二隣接部材３２のみが配置されてもよい。この場合、連結部材４１において、第三接続部４１０ｄが不要となり、一対の第一接続部４１０ｂ間に複数の第二接続部４１０ｃが存在するため、絶縁部材（インシュレータ）５においても、第三接続被覆部５０３が無くなり、一対の第一接続被覆部５０１間には第二接続被覆部５０２のみが配置される。
【０１４８】
これに伴い、シール部５３は、一対の梁被覆部５００及び一対の第一接続被覆部５０１に沿って配置されてもよい。すなわち、シール部５３は、第一シール部５３ａ、第二シール部５３ｂ、及び第四シール部５３ｄのみを含み、主要部１に含まれる複数の流路全体又は略全体を包囲するように形成されてもよい。また、シール部５３は、第二接続被覆部５０２の端部Ｅｃ１，Ｅｃ２（第一端部Ｅｃ１、第二端部Ｅｃ２）から延出シール部を含み、上述の如く、連結部材４１に形成される開口部４１４毎に環状に形成されてもよい。
【０１４９】
上記実施形態において、インシュレータ５のシール部５３が一方の梁被覆部５００の第一端部から延出した第四シール部５３ｄを含んだが、これに限定されない。例えば、第四シール部５３ｄは、必要に応じて設けられればよい。なお、上記実施形態において、シール部５３は、蓄電装置ＰＥに対して供給される蓄電素子２の温度調整用の流体を必要箇所（流路）に誘導するために設けられているため、このような機能を必要とする場合には、シール部５３が第四シール部５３ｄを含むことを勿論である。但し、第四シール部５３ｄは、蓄電素子２の外部端子２０（安全弁２５）側にあるため、水滴を受ける状況となり得ないことから、第四シール部５３ｄは、一方の梁被覆部５００の第一端部よりも第二端部側で延出していてもよい。
【０１５０】
上記実施形態において、第一リブ５４ａ、第二リブ５４ｂ、第三リブ５４ｃの第二面Ｓｄ２，Ｓｅ２，Ｓｆ２が先端側ほど先下りした傾斜面にされたが、これに限定されない。例えば、第一リブ５４ａ、第二リブ５４ｂ、第三リブ５４ｃの第二面Ｓｄ２，Ｓｅ２，Ｓｆ２は、Ｚ軸方向と直交する平面（Ｘ軸方向及びＹ軸方向に広がる平面）であってもよい。但し、排水性を高めるには、上記実施形態と同様にすることが好ましい。
【０１５１】
上記実施形態において、他方の梁被覆部５００の第一端部Ｅａ１がＺ軸方向において連結部材４１の梁部４１０ａの端面ＥＳａから僅かに突出した（端面ＥＳａに対して僅かに外側に位置した）が、これに限定されない。例えば、他方の梁被覆部５００の第一端部Ｅａ１は、Ｚ軸方向において連結部材４１の梁部４１０ａの端面ＥＳａに対して遠く離れた外側の位置にあってもよい。このようにしても、第一シール部５３ａが他方の梁被覆部５００の第一端部Ｅａ１から延出することで、上記実施形態と同様に、水滴が溜まることなく、排水することができる。この場合において、第一リブ５４ａは、梁被覆部５００の第一端部Ｅａ１から延出してもよいし、梁被覆部５００の第一端部Ｅａ１と梁部４１０ａの端面ＥＳａとの間の位置から延出してもよい。
【０１５２】
上記実施形態において、第一接続被覆部５０１の第一端部Ｅｂ１がＸ軸方向において連結部材４１の第一接続部４１０ｂの端面ＥＳｂから僅かに突出した（端面ＥＳｂに対して僅かに外側に位置した）が、これに限定されない。例えば、第一接続被覆部５０１の第一端部Ｅｂ１は、Ｘ軸方向において連結部材４１の第一接続部４１０ｂの端面ＥＳｂに対して遠く離れた外側の位置にあってもよい。このようにしても、第二シール部５３ｂは、第一接続被覆部５０１の第一端部から延出することで、上記実施形態と同様に、水滴が溜まることなく、排水することができる。この場合において、第二リブ５４ｂは、第一接続被覆部５０１の第一端部Ｅｂ１から延出してもよいし、第一接続被覆部５０１の第一端部Ｅｂ１と第一接続部４１０ｂの端面ＥＳｂとの間の位置から延出してもよい。
【０１５３】
上記実施形態において、第三接続被覆部５０３の第一端部Ｅｄ１及び第二端部Ｅｄ２のそれぞれがＸ軸方向において連結部材４１の第三接続部４１０ｄの端面ＥＳｃから僅かに突出した（端面ＥＳｃに対して僅かに外側に位置した）が、これに限定されない。例えば、第三接続被覆部５０３の第一端部Ｅｄ１及び第二端部Ｅｄ２の少なくとも何れか一方が、Ｘ軸方向において連結部材４１の第三接続部４１０ｄの端面ＥＳｄに対して遠く離れた外側の位置にあってもよい。このようにしても、第三シール部５３ｃは、第三接続被覆部５０３の第一端部Ｅｄ１及び第二端部Ｅｄ２から延出することで、上記実施形態と同様に、水滴が溜まることなく、排水することができる。この場合において、第三リブ５４ｃは、第三接続被覆部５０３の端部Ｅｄ１，Ｅｄ２（第一端部Ｅｄ１，第二端部Ｅｄ２)から延出してもよいし、第三接続被覆部５０３の端部Ｅｄ１，Ｅｄ２（第一端部Ｅｄ１、第二端部Ｅｄ２)と第三接続部４１０ｄの端面ＥＳｄとの間の位置から延出してもよい。
【０１５４】
また、上記実施形態においては、蓄電素子２が充放電可能な非水電解質二次電池（例えばリチウムイオン二次電池）として用いられる場合について説明したが、蓄電素子２の種類や大きさ（容量）は任意である。また、上記実施形態において、蓄電素子２の一例として、リチウムイオン二次電池について説明したが、これに限定されるものではない。例えば、本発明は、種々の二次電池、その他、一次電池や、電気二重層キャパシタ等のキャパシタの蓄電素子２にも適用可能である。
【符号の説明】
【０１５５】
１…主要部、２…蓄電素子、３…隣接部材、４…保持部材、５…インシュレータ（絶縁部材）、６…バスバ、２０…外部端子、２１…ケース、２１Ａ…第一端面、２１Ｂ…第二端面、２１Ｃ…第三端面、２１Ｄ…第四端面、２２…電極体、２３…集電体、２４…ケース内絶縁体、２５…安全弁、３１…第一隣接部材、３２…第二隣接部材、３３…第三隣接部材、４０…終端部材、４１…連結部材（対向部材）、５０…本体被覆部、５１…第一被覆部、５２…第二被覆部、５３…シール部、５３ａ…第一シール部、５３ｂ…第二シール部、５３ｃ…第三シール部、５３ｄ…第四シール部、５４…リブ、５４ａ…第一リブ、５４ｂ…第二リブ、５４ｃ…第三リブ、５４ｄ…第四リブ、５４ｅ…第五リブ、２１０…ケース本体、２１１…蓋板、３１０…第一本体部、３１０Ａ…第一面、３１０Ｂ…第二面、３１０Ｃ…第三面、３１１…第一規制部、３１１ａ…第一片、３１１ｂ…第二片、３１２…溝、３２０…第二本体部、３２１…第二規制部、３２１ａ…第一片、３２１ｂ…第二片、３２２…溝部、３３０…第三本体部、３３１…第三規制部、３３１ａ…第一片、３３１ｂ…第二片、３３２…溝部、４００…本体、４０１…圧接部、４１０…本体部、４１０ａ…梁部（対向部）、４１０ｂ…第一接続部（対向部）、４１０ｃ…第二接続部（対向部）、４１０ｄ…第三接続部（対向部）、４１１…第一延設部、４１２…第二延設部、４１２Ａ，４１２Ｂ…面、４１３…終端延設部、４１４…開口部、５００…梁被覆部（被覆部）、５０１…第一接続被覆部（被覆部）、５０２…第二接続被覆部、５０３…第三接続被覆部（被覆部）、Ｂ…ビス、Ｂ１，Ｂ２…ブロック、Ｅａ１…第一端部（端部）、Ｅａ２…第二端部、Ｅｂ１…第一端部（端部）、Ｅｂ２…第二端部、Ｅｃ１…第一端部、Ｅｃ２…第二端部、Ｅｄ１…第一端部（端部）、Ｅｄ２…第二端部（端部）、ＥＳａ，ＥＳｂ，ＥＳｃ，ＥＳｄ…端面、ＰＥ…蓄電装置、Ｓａ１…第一面、Ｓａ２…第二面、Ｓｂ１…第一面、Ｓｂ２…第二面、Ｓｃ１…第一面、Ｓｃ２…第二面、Ｓｄ１…第一面、Ｓｄ２…第二面、Ｓｅ１…第一面、Ｓｅ２…第二面、Ｓｆ１…第一面、Ｓｆ２…第二面、Ｗ…水滴
【図１】
2019053827.tif 000003
【図２】
2019053827.tif 000004
【図３】
2019053827.tif 000005
【図４】
2019053827.tif 000006
【図５】
2019053827.tif 000007
【図６】
2019053827.tif 000008
【図７】
2019053827.tif 000009
【図８】
2019053827.tif 000010
【図９】
2019053827.tif 000011
【図１０】
2019053827.tif 000012
【図１１】
2019053827.tif 000013
【図１２】
2019053827.tif 000014
【図１３】
2019053827.tif 000015
【図１４】
2019053827.tif 000016
【図１５】
2019053827.tif 000017
【図１６】
2019053827.tif 000018
【図１７】
2019053827.tif 000019